(57)【要約】【課題】異なる通信方式において、その使用周波数帯域が近接していても、両方の使用周波数帯域を分波することのできる複合共用器を提供することを目的としている。【解決手段】第１共用器３０の受信フィルタ２６は第１受信端子３４に接続し、第１共用器３０の送信フィルタ２８は第２スイッチ３２を介して送信端子３６に接続し、第１スイッチ２４は第１アンテナ２２から３つに分岐する３つの分岐スイッチ４０を有し、３つの分岐スイッチ４０の内、いずれか１つの分岐スイッチ４０を第１共用器３０に切り替え接続し、他の２つの分岐スイッチ４０の内、一方の分岐スイッチ４０を第２受信端子３８に切り替え接続し、他方の分岐端子を送信端子３６に切り替え接続する構成である。【選択図】図１
2006333297.tif 000002
【特許請求の範囲】
【請求項１】
第１アンテナに接続された第１スイッチと、受信フィルタおよび送信フィルタを有し前記第１スイッチに接続された第１共用器と、前記第１共用器に接続された第２スイッチとを備え、前記第１共用器の受信フィルタは第１受信端子に接続し、前記第１共用器の送信フィルタは前記第２スイッチを介して送信端子に接続し、前記第１スイッチは前記第１アンテナから少なくとも３つに分岐する３つの分岐スイッチを有し、３つの前記分岐スイッチの内、いずれか１つの分岐スイッチを前記第１共用器に切り替え接続し、他の２つの前記分岐スイッチの内、一方の分岐スイッチを第２受信端子に切り替え接続し、他方の分岐端子を前記送信端子に切り替え接続する複合共用器。
【請求項２】
受信フィルタと送信フィルタを有し第２アンテナに接続された第２共用器を設けるとともに、前記第２スイッチには前記送信端子から少なくとも２つに分岐する２つの分岐スイッチを設け、前記第２スイッチの一方の分岐端子は前記第１共用器の送信フィルタに切り替え接続し、前記第２スイッチの他方の分岐端子は前記第２共用器の送信フィルタに切り替え接続し、前記第２共用器の受信フィルタは第３受信端子に接続した請求項１記載の複合共用器。
【発明の詳細な説明】
【技術分野】
【０００１】
本発明は、携帯電話等の移動体通信機器に用いる複合共用器に関するものである。
【背景技術】
【０００２】
以下、従来の複合共用器について図面を参照しながら説明する。
【０００３】
図３は従来の複合共用器のブロック図である。
【０００４】
図３において、従来の複合共用器１は、アンテナ２に接続されたダイプレクサ４と、このダイプレクサ４に接続された低周波帯域用の第１ＳＰＤＴスイッチ６と、上記ダイプレクサ４に接続された高周波帯域用の第２ＳＰＤＴスイッチ８とを備えている。低周波帯域用の第１ＳＰＤＴスイッチ６は低周波帯域用の受信端子１０と送信端子１２とに接続されるとともに、それらの切り替えが行えるようになっており、高周波帯域用の第２ＳＰＤＴスイッチ８は高周波帯域用の受信端子１０と送信端子１２とに接続されるとともに、それらの切り替えが行えるようになっている。また、受信端子１０および送信端子１２には、各々、受信回路（図示せず）および送信回路（図示せず）が接続される。
【０００５】
この複合共用器１は、例えば、ＧＳＭ９００方式とＧＳＭ１８００方式の両方の通信方式において用いることができる。ダイプレクサ４によってＧＳＭ９００方式における使用周波数帯域とＧＳＭ１８００方式における使用周波数帯域とを分波することができるからである。一般に、ＧＳＭ９００方式における使用周波数帯域は９００ＭＨｚ程度であり、ＧＳＭ１８００方式における使用周波数帯域は１．８ＧＨｚ程度である。
【０００６】
ＧＳＭ９００方式において用いる場合は、アンテナ２から入力された入力信号は、ダイプレクサ４によって分波され、低周波帯域用の第１ＳＰＤＴスイッチ６に入力され、低周波帯域用の受信端子１０から出力され、受信回路に入力される。一方、送信回路から出力された出力信号は、低周波帯域用の送信端子１２から低周波帯域用の第１ＳＰＤＴスイッチ６に入力され、ダイプレクサ４を介してアンテナ２から出力されるものである。低周波帯域用の第１ＳＰＤＴスイッチ６は低周波帯域用の受信端子１０と送信端子１２との切り替えを交互に行い、入力信号および出力信号を通電させている。
【０００７】
なお、この出願の発明に関連する先行技術文献情報としては、例えば、特許文献１が知られている。
【特許文献１】特開平１１−３１３００３号公報
【発明の開示】
【発明が解決しようとする課題】
【０００８】
上記従来の複合共用器１は、ダイプレクサ４によってＧＳＭ９００方式における使用周波数帯域とＧＳＭ１８００方式における使用周波数帯域とを分波することができるので、ＧＳＭ９００方式とＧＳＭ１８００方式の両方の通信方式において用いることができる。
【０００９】
一般に、ＧＳＭ９００方式における使用周波数帯域は９００ＭＨｚ程度であり、ＧＳＭ１８００方式における使用周波数帯域は１．８ＧＨｚ程度であるが、これらの使用周波数帯域は大きく乖離しているので、ダイプレクサ４によって各々の使用周波数帯域を分波することができる。
【００１０】
しかし、ＧＳＭ１８００方式以外の、例えば、ＧＳＭ８５０方式では、その使用周波数帯域が８５０ＭＨｚ程度であり、ＧＳＭ方式における９００ＭＨｚ程度と非常に近接しているので、その両方の通信方式において、各々の使用周波数帯域をダイプレクサ４によって分波して用いることは困難であるという問題点を有していた。
【００１１】
本発明は上記問題点を解決するもので、異なる通信方式において、その使用周波数帯域が近接していても、両方の使用周波数帯域を分波することのできる複合共用器を提供することを目的としている。
【課題を解決するための手段】
【００１２】
上記目的を達成するために本発明は以下の構成を有する。
【００１３】
本発明の請求項１記載の発明は、特に、第１共用器の受信フィルタは第１受信端子に接続し、前記第１共用器の送信フィルタは第２スイッチを介して送信端子に接続し、前記第１スイッチは第１アンテナから少なくとも３つに分岐する３つの分岐スイッチを有し、３つの前記分岐スイッチの内、いずれか１つの分岐スイッチを前記第１共用器に切り替え接続し、他の２つの前記分岐スイッチの内、一方の分岐スイッチを第２受信端子に切り替え接続し、他方の分岐端子を前記送信端子に切り替え接続する構成である。
【発明の効果】
【００１４】
上記構成により、一方の通信方式を用いる場合は、第１スイッチの３つの分岐スイッチの内、第１共用器に接続した分岐スイッチと、送信端子に接続した分岐スイッチとを切り替えるとともに、分岐スイッチが第１共用器に切り替えられた時に、第２スイッチによる通電がＯＦＦされ、分岐スイッチが送信端子に切り替えられた時に、第２スイッチによる通電がＯＮされるように制御すれば良い。
【００１５】
また、他方の通信方式を用いる場合は、第１スイッチの３つの分岐スイッチの内、第２受信端子に接続した分岐スイッチと、送信端子に接続した分岐スイッチとを切り替えるとともに、第２スイッチによる通電が常にＯＦＦされるように制御すれば良い。
【００１６】
以上によれば、異なる通信方式において、その使用周波数帯域が近接していても、両方の使用周波数帯域を分波することができる。
【発明を実施するための最良の形態】
【００１７】
以下、本発明の全請求項に記載の発明について図面を参照しながら説明する。
【００１８】
図１は本発明の一実施の形態における複合共用器のブロック図である。
【００１９】
図１において、本発明の一実施の形態における複合共用器２０は、第１アンテナ２２に接続された第１スイッチ２４と、受信フィルタ２６および送信フィルタ２８を有し第１スイッチ２４に接続された第１共用器３０と、この第１共用器３０に接続された第２スイッチ３２とを備えている。
【００２０】
また、第１共用器３０の受信フィルタ２６は第１受信端子３４に接続し、第１共用器３０の送信フィルタ２８は第２スイッチ３２を介して送信端子３６に接続している。
【００２１】
さらに、第１スイッチ２４は第１アンテナ２２から少なくとも３つに分岐する３つの分岐スイッチ４０を有し、３つの分岐スイッチ４０の内、いずれか１つの分岐スイッチ４０を第１共用器３０に切り替え接続し、他の２つの分岐スイッチ４０の内、一方の分岐スイッチ４０を第２受信端子３８に切り替え接続し、他方の分岐端子を送信端子３６に切り替え接続するものである。
【００２２】
この第１スイッチ２４はＳＰ３Ｔスイッチとし、第２スイッチ３２はＳＰＳＴスイッチとし、第１共用器３０はＳＡＷフィルタとし、第１受信端子３４および第２受信端子３８には受信回路（図示せず）を接続し、送信端子３６には送信回路（図示せず）を接続している。
【００２３】
この複合共用器２０は、例えば、その使用周波数帯域が８５０ＭＨｚ程度のＧＳＭ８５０方式やＷＣＤＭＡ８５０方式と、その使用周波数帯域が９００ＭＨｚ程度のＧＳＭ９００方式の両方の通信方式において用いることができる。
【００２４】
第１受信端子３４をＧＳＭ８５０方式やＷＣＤＭＡ８５０方式の受信用の端子とし、第２受信端子３８をＧＳＭ９００方式の受信用の端子とし、送信端子３６は両者共用の送信用の端子とする。
【００２５】
そして、ＧＳＭ８５０方式やＷＣＤＭＡ８５０方式を用いる場合は、第１スイッチ２４の３つの分岐スイッチ４０の内、第１共用器３０に切り替え接続する分岐スイッチ４０と、送信端子３６に切り替え接続する分岐スイッチ４０とを交互に切り替えるとともに、分岐スイッチ４０が第１共用器３０に切り替えられた時に、第２スイッチ３２による通電がＯＦＦにされ、分岐スイッチ４０が送信端子３６に切り替えられた時に、第２スイッチ３２による通電がＯＮされるように制御すれば良い。
【００２６】
また、ＧＳＭ９００方式を用いる場合は、第１スイッチ２４の３つの分岐スイッチ４０の内、第２受信端子３８に切り替え接続する分岐スイッチ４０と、送信端子３６に切り替え接続する分岐スイッチ４０とを交互に切り替えるとともに、第２スイッチ３２による通電が常にＯＦＦされるように制御すれば良い。
【００２７】
図２は本発明の他の実施の形態における複合共用器２０のブロック図である。
【００２８】
図１における複合共用器２０に対して、さらに、受信フィルタ２６と送信フィルタ２８を有し第２アンテナ４２に接続された第２共用器４４を設けるとともに、この第２スイッチ３２には送信端子３６から少なくとも２つに分岐する２つの分岐スイッチ４０を設け、第２スイッチ３２の一方の分岐スイッチ４０は第１共用器３０の送信フィルタ２８に切り替え接続し、第２スイッチ３２の他方の分岐スイッチ４０は第２共用器４４の送信フィルタ２８に切り替え接続し、第２共用器４４の受信フィルタ２６は第３受信端子４６に接続した構成である。
【００２９】
この第２スイッチ３２はＳＰ３Ｔスイッチとし、第３受信端子４６には受信回路（図示せず）を接続している。
【００３０】
この場合、４つの異なる通信方式において、その使用周波数帯域が近接していても、全ての使用周波数帯域を分波することができる。例えば、第１受信端子３４をＧＳＭ１９００方式およびＷＣＤＭＡ１９００方式の受信用の端子とし、第２受信端子３８をＧＳＭ１８００方式の受信用の端子とし、第３受信端子４６をＷＣＤＭＡ２１００方式の受信用の端子とし、送信端子３６は両者共有の送信用の端子とする。この場合、ＧＳＭ１９００方式とＧＳＭ１８００方式を用いる場合は、第２スイッチ３２の一方の分岐スイッチ４０を用いて、ＧＳＭ８５０方式とＧＳＭ９００方式を用いる場合と同様に作動させれば良い。また、ＷＣＤＭＡ１９００方式を用いる場合には、第１スイッチ２４をアンテナ２２と第１共用器３０を接続するように通電し、さらに第２スイッチ３２を第１共用器と送信端子３６を接続するように通電すれば良い。
【００３１】
一方、ＷＣＤＭＡ２１００方式を用いる場合は、第２スイッチ３２の他方の分岐スイッチ４０による通電がＯＮするように制御すれば良い。
【００３２】
なお、図１と図２の複合共用器２０を組み合わせることも可能である。
【００３３】
上記構成により、異なる通信方式において、その使用周波数帯域が近接していても、両方の使用周波数帯域を分波することができる。
【００３４】
すなわち、一方の通信方式を用いる場合は、第１スイッチ２４の３つの分岐スイッチ４０の内、第１共用器３０に接続した分岐スイッチ４０と、送信端子３６に接続した分岐スイッチ４０とを切り替えるとともに、分岐スイッチ４０が第１共用器３０に切り替えられた時に、第２スイッチ３２による通電がＯＦＦされ、分岐スイッチ４０が送信端子３６に切り替えられた時に、第２スイッチ３２による通電がＯＮされるように制御すれば良い。
【００３５】
また、他方の通信方式を用いる場合は、第１スイッチ２４の３つの分岐スイッチ４０の内、第２受信端子３８に接続した分岐スイッチ４０と、送信端子３６に接続した分岐スイッチ４０とを切り替えるとともに、第２スイッチ３２による通電が常にＯＦＦされるように制御すれば良い。
【００３６】
なお、本実施の形態で示したように、ＧＳＭ１８００方式、ＧＳＭ１９００方式、ＷＣＤＭＡ１９００方式、ＷＣＤＭＡ２１００方式に対応したときには、特に、ＧＳＭ１８００およびＧＳＭ１９００方式の送信時に、使用する周波数の関係に起因して送信フィルタ２８のインピーダンス特性の影響を受ける。そのために、第２スイッチ３２の出力ポートに何も接続しないポート（オープンポート）を設けて、そのオープンポートと送信端子３６を通電するように第２スイッチ３２を設定するように構成すると、この影響を除くことができ、より性能の良い複合共用器を得ることができる。
【００３７】
本構成によれば、ＧＳＭ１８００方式およびＧＳＭ１９００方式での送信パスが第１スイッチ２４のみを通る構成にすることができる。すなわち、最小のスイッチでシステムの切り替えが可能となるので損失を低減でき、消費電力の低減を図れる。
【産業上の利用可能性】
【００３８】
以上のように本発明にかかる複合共用器は、携帯電話等の移動体通信機器に用いることができ、各種の機器に適用できる。
【図面の簡単な説明】
【００３９】
【図１】本発明の一実施の形態における複合共用器のブロック図
【図２】本発明の他の実施の形態における複合共用器のブロック図
【図３】従来の複合共用器のブロック図
【符号の説明】
【００４０】
２０  複合共用器
２２  第１アンテナ
２４  第１スイッチ
２６  受信フィルタ
２８  送信フィルタ
３０  第１共用器
３２  第２スイッチ
３４  第１受信端子
３６  送信端子
３８  第２受信端子
４０  分岐スイッチ
４２  第２アンテナ
４４  第２共用器
４６  第３受信端子
【図１】
2006333297.tif 000003
【図２】
2006333297.tif 000004
【図３】
2006333297.tif 000005